(57)【特許請求の範囲】
【請求項１】
互いに平行に延在する２本の支柱、２本の支柱に所定の間隔を以て固定された複数の連結軸、及び、各支柱の端部にそれぞれ回転可能に装着された車輪を有するベンチ本体と、
前記ベンチ本体に回動可能に連結され、前記２本の支柱に対して所定の角度をなす第１の位置と、２本の支柱に平行となる第２の位置とを占める補助脚と、
前記ベンチ本体の連結軸に着脱自在に連結され、アンプを支持するテーブルとを具え、
前記テーブルは、アンプが載置される面が支柱に対して９０°を超える角度をなす第１の位置と、テーブル面が前記支柱に対してほぼ直交する第２の位置とを選択的に占めることができ、
前記補助脚が第１の位置に設定されると共に前記テーブルが第１の位置に設定された場合、アンプを床面から所定の高さに支持するアンプベンチとして機能し、前記補助脚が第２の位置に設定されると共に前記テーブルが第２の位置に設定された際、アンプを運搬するキャリーカートとして機能することを特徴とするアンプベンチ。
【請求項２】
請求項１に記載のアンプベンチにおいて、前記テーブルは、アンプを支持するテーブル面を形成すると共に前記連結軸と係合するフック部を有するテーブル本体と、テーブル本体に回転可能に連結された係止板とを有し、支柱に対する係止板の係合位置に応じて第１の位置と第２の位置を選択的に占めることを特徴とするアンプベンチ。
【請求項３】
請求項１又は２に記載のアンプベンチにおいて、前記車輪として空気入りタイヤが用いられ、床面や道路に凹凸が存在しても、運搬中に発生する振動が空気入りタイヤにより吸収されることを特徴とするアンプベンチ。
【請求項４】
請求項１から３までのいずれか１項に記載のアンプベンチにおいて、前記テーブルは、防振材により構成され、アンプが載置される台座プレートを有し、前記２本の支柱には、防振材により構成される防振シートが設けられ、運搬中のアンプは、台座プレート及び防振シートにより支持され、鉛直方向及び水平方向の振動は台座プレート及び防振シートにより吸収されるように構成したことを特徴とするアンプベンチ。
【発明の詳細な説明】
【技術分野】
【０００１】
本発明はアンプベンチ、特にアンプを床面から所望の高さに保持するだけでなく、アンプを一体的に運ぶことが可能なキャリー型アンプベンチに関するものである。
【背景技術】
【０００２】
ギタリストやキーボード奏者等を含むバンドが公演会場で演奏する場合、ギターアンプ等の各種アンプが用いられている。一方、アンプを公演会場の床面に直置きすると、他の楽器の音で自分の音が聞こえないと感じる場合が多々発生する。このような場合、アンプを操作して自分の音量を上げることになるが、それでは音のバランスが崩れる不具合が発生してしまう。このような不具合を解消するため、アンプベンチが用いられ、アンプを床面から所望の高さに配置して最適な方向に音を伝搬させることが行われている。従って、アンプベンチは、各種公演会場でソロ演奏やバンド演奏する場合、最適な演奏を聴衆に提供する上で極めて重要である。
【０００３】
従来アンプベンチは、アンプを床面から所定の高さに支持することを目的としており、例えばスティール管やアルミ管を組み合わせ、溶接やネジ止めすることにより脚部及び台座が構成されている。従って、従来のアンプベンチは、アンプを床面から所定の高さに支持するだけの機能を有するように構成されており、アンプを運搬する機能を具えていなかった。そのため、公演が終了した後アンプを運ぶ場合、アンプ及びアンプベンチを別々に自動車に収納して運ぶか又はアンプをキャリーカートに搭載して運ぶのが実情であった。
【０００４】
一方、種々の荷物を運搬する手段としてキャリーカートが用いられている。例えば、安定した載置状態で荷物を運搬することを目的としたキャリーカートが提案されている（例えば、特許文献１参照）。この既知のキャリーカートは、商品等の荷物を積載する載置台と、載置台の側端に配置された左右一対の車輪と、車輪を回転自在に支持する車軸に連結された２本の支柱より成るハンドルとにより構成されている。
【特許文献１】特開２００２−１６０６３６号公報
【発明の概要】
【発明が解決しようとする課題】
【０００５】
従来のアンプベンチは、アンプを床面から所定の高さに支持するだけの機能しかもたないため、演奏が終了した後アンプベンチとアンプとはそれぞれ別々に運ばなければならかった。この場合、キャリーカートを用いてアンプを運搬することができる。しかし、キャリーカートは荷物を運搬することを目的としているため、公演会場では控え室に置かれるだけである。これに対して、アンプベンチがアンプを保持すると共にキャリーカートとしても機能できれば、アンプをアンプベンチ上に搭載した状態で公演会場まで運ぶことができ、しかも演奏中はアンプを支持するアンプベンチとして機能できるので、アンプ及びアンプベンチを運ぶ上で作業性が大幅に改善される。
【０００６】
従って、本発明の目的は、アンプを公演会場で床面から所望の高さに支持でき、しかも、アンプと共に運搬することができるキャリー型アンプベンチを実現することにある。
【課題を解決するための手段】
【０００７】
本発明によるアンプベンチは、互いに平行に延在する２本の支柱、２本の支柱に所定の間隔を以て固定された複数の連結軸、及び、各支柱の端部にそれぞれ回転可能に装着された車輪を有するベンチ本体と、
前記ベンチ本体に回動可能に連結され、前記２本の支柱に対して所定の角度をなす第１の位置と、２本の支柱に平行となる第２の位置とを占める補助脚と、
前記ベンチ本体の連結軸に着脱自在に連結され、アンプを支持するテーブルとを具え、
前記テーブルは、アンプが載置されるテーブル面が支柱に対して９０°を超える角度をなす第１の位置と、テーブル面が前記支柱に対してほぼ直交する第２の位置とを選択的に占めることができ、
前記補助脚が第１の位置に設定されると共に前記テーブルが第１の位置に設定された場合、アンプを床面から所定の高さに支持するアンプベンチとして機能し、前記補助脚が第２の位置に設定されると共に前記テーブルが第２の位置に設定された際、アンプを運搬するキャリーカートとして機能することを特徴とする。
【０００８】
本発明によるアンプベンチの好適実施例は、前記テーブルは、防振材により構成され、アンプが載置される台座プレートを有し、前記２本の支柱には、防振材により構成される防振シートが設けられ、運搬中のアンプは、台座プレート及び防振シートにより支持され、鉛直方向及び水平方向の振動が台座プレート及び防振シートにより吸収されるように構成したことを特徴とする。
【発明の効果】
【０００９】
本発明によるアンプベンチは、静止状態においてアンプを床面から所望の高さに支持できると共に運搬状態においてアンプと一体的に移送することが可能である。従って、本発明によれば、公演会場においてアンプを床面から所望の高さに支持すると共にアンプを一体的に運搬することが可能なアンプベンチが実現される。
【図面の簡単な説明】
【００１０】
【図１】本発明によるアンプベンチのスタンド状態の構成を示す斜視図である。
【図２】スタンド状態のアンプベンチを示す側面図である。
【図３】運搬状態のアンプベンチの構成を示す側面図である。
【図４】運搬状態のアンプベンチの構成を示す側面図である。
【図５】テーブルの一例を示す斜視図である。
【図６】テーブルを上方から見た平面図である。
【図７】係止板と支柱との係合状態を示す図である。
【発明を実施するための形態】
【００１１】
本発明によるアンプベンチは、公演会場の舞台上に配置され、アンプを所定の高さに支持し、床面に対して静止状態に維持されるスタンド状態と、アンプを公演会場まで運ぶ運搬状態の２つの状態で使用される。また、本発明によるアンプベンチは、ベンチ本体１と、ベンチ本体が床面上に立つのを支える補助脚２と、アンプが載置されるテーブル３とから構成される。図１〜図４は本発明によるアンプベンチの一例を示し、図１は、アンプベンチがスタンド状態に維持された態様を示し、テーブル３を除きスタンド状態に維持されたベンチ本体１とベンチ本体を支える補助脚２とを示す。また、図２は、スタンド状態にあるアンプベンチを示し、アンプ４がテーブル３上に載置されたスタンド状態を側方から見た側面図である。図３及び図４は、運搬状態にあるアンプベンチを示し、図３は運搬中にアンプベンチを床面に対して静止させた休止状態を示し、図４はアンプベンチの運搬状態を示す。
【００１２】
図１を参照するに、ベンチ本体１は、たがいに平行に連結された２本の支柱１１及び１２を有する。支柱１１及び１２は、例えばアルミニウムのパイプで構成され、曲げ加工により「コ」の字状に形成される。１対の支柱１１と１２との間に、テーブル３をベンチ本体に連結するための５本の連結軸１３ａ〜１３ｅをほぼ等間隔で互いに平行に取り付ける。２本の支柱１１及び１２の下端には、車軸１４を連結する。車軸１４の両端にベアリングが内蔵された車輪１５ａ及び１５ｂを連結する。車輪１５ａ及び１５ｂは、ベアリング内蔵型の空気入りタイヤで構成する。車輪として空気入りタイヤを用いる場合、床面や道路等に凹凸があっても、運搬中に発生する振動は空気入りタイヤにより吸収され、僅かな振動が発生するだけであるため、デリケートな各種アンプを運搬するのに好適である。また、車輪１５ａ及び１５ｂについては、ロック機構を設け、スタンド状態において車輪が回転しないように構成する。２本の支柱には、防振シート１６ａ及び１６ｂを装着する。防振シートの材料として、硬質スポンジ、防振ゴム材料等の各種防振材料を用いることができる。
【００１３】
補助脚２は、例えばアルミニウムのパイプを曲げ加工により形成した「コ」の字状のパイプ１７により構成され、「コ」の字状のパイプ１７の両端は、２本の支柱１１及び１２に回動可能に連結する。補助脚２は、第１及び第２の２つの位置を占めることができ、アンプベンチがスタンド状態にあるときは、図１及び図２に示すように、支柱１１及び１２に対して回動して所定の角度をなす第１の状態をとる。また、アンプベンチが運搬状態のときは図３及び図４に示すように、支柱１１及び１２に対して平行になる第２の状態をとる。
【００１４】
補助脚２の接地面１８と当接する部分に制動部材１９を取り付ける。この制動部材１９は、例えばゴム材料のような摩擦係数の大きい材料を用いる。摩擦係数の大きい材料で構成することにより、接地面１８との間に摩擦力が作用し、演奏中に、アンプベンチが前後方向に移動せず、アンプを安定して保持することができる。
【００１５】
図２を参照するに、アンプ４は、テーブル３上に設けた台座プレート３ａ上に載置する。台座プレート３ａは、硬質スポンジや防振ゴム等の防振材料により構成され、テーブルに伝搬した振動を吸収する作用を果たす。尚、テーブル３は、２個のフック部２０及び２１を有し（図２〜図４においては、フック部２０だけを図示する）、フック部をベンチ本体に設けた連結軸１３ａ〜１３ｅのいずれかに係合する。この際、いずれかの連結軸を選択することにより、演奏中のアンプの配置高さを所望の高さに設定することができる。すなわち、アンプ４を床面から高い位置に配置して演奏する場合、テーブル３のフック部２０，２１は最上位に位置する連結軸１３ａに係合され、アンプを床面から低い位置に配置する場合、フック部は最下位に位置する連結軸１３ｅに係合する。
【００１６】
フック部を連結軸に係合することにより、テーブル３は連結軸を中心にしてベンチ本体１に対して回動可能に連結される。テーブル３には、係止板２２及び２３が回動可能に連結され（図２〜図４においては、係止板２２だけを図示する）、係止板２２及び２３と支柱１１及び１２との係合作用によりテーブル３の載置面の支柱１１及び１２に対する角度が規定される。図２に示すように、アンプベンチとして機能する場合、支柱１１及び１２に対するテーブル３の載置面の支柱に対する角度θは、９０°を超える角度、例えば１２０°に設定する。また、図３及び図４に示すように、アンプを運搬する運搬状態の場合、テーブル３の載置面の支柱に対する角度は９０°に設定する。この角度設定は、係止板２２及び２３と支柱１１及び１２との係合位置により規定される。
【００１７】
図３に示すように、テーブル３には、スタンド脚２４を回動可能に連結する。スタンド脚２４は、２つの位置を占めることができ、図２及び図４に示すようにテーブル３内に収納された収納状態と、図３に示すようにテーブル３から取り出され、テーブル３の載置面に対して直角をなすスタンド状態とを占める。スタンド状態においては、アンプベンチは、スタンド脚２４と２個の車輪により床面に対して静止状態に維持される。従って、運搬中にアンプベンチを静止させる場合、スタンド脚２４を取り出すことにより、アンプベンチを床面に対して静止させることができる。
【００１８】
次に、アンプ４が載置されるテーブル３について説明する。図５はテーブル３の一例を示す斜視図である。尚、図５においては、係止板２２及び２３を除きテーブル本体だけを示す。テーブル３は互いに対向する２枚のプレート３０及び３１を有する。これらプレート３０と３１との間に、両端がＬ字状に形成された連結プレート３２及び３３を固定する。また、２つプレート間に連結軸３４を固定する。連結軸３４の両端は、プレート３０及び３１に形成した孔を経て外方に突出させる。突出した細径の部分は、係止板２２及び２３を回転可能に支持する回転軸３４ａ及び３４ｂとして利用する。尚、連結軸３４とプレート３０及び３１との接触する部分は、例えば溶接により固定する。プレート３０及び３１にはフック部２０及び２１をそれぞれ形成し、これらフック部を連結軸１３ａ〜１３ｅのいずれかに係合する。テーブル３の載置面は、連結プレート３２及び３３で構成され、この上に防振作用を果たす台座プレート３ａを配置し、台座プレート上にアンプ４を載置する。
【００１９】
図６はテーブル３を上方から見た平面図である。図６に示すように、プレート３０及び３１に固定した連結軸３４の両端は、回転軸３４ａ及び３４ｂを構成する。係止板２２及び２３には、回転軸３４ａ及び３４ｂと係合する孔が形成され、回転軸３４ａ及び３４ｂに対して係止板２２及び２３を回動可能に装着する。係止板２２及び２３の側面を係止面として用い、これら係止面は支柱１１及び１２とそれぞれ係合し、係合状態に応じて支柱に対するテーブルの載置面の角度が調整される。すなわち、プレート３０及び３１のフック部２０及び２１を連結軸１３に係合した状態において、テーブル３を回動させると共に係止板２２及び２３を回動させ、係止板２２及び２３の対応する係止面を支柱１１及び１２と係合させる。その際、係止板２２及び２３のどの係止面を支柱に対して係合させるかにより、支柱から回転軸３４ａ及び３４ｂまでの距離が変化し、支柱に対するテーブルの載置面の角度が調整される。
【００２０】
図７は、係止板２２及び２３の作用を説明するための図である。尚、２つの係止板２２及び２３は同一の作用を行うため、一方の係止板２２について説明する。図７（Ａ）は、係止板２２の構成の示す平面図である。係止板２２は、ほぼ三角形の形状を有する比較的厚いプレートで構成され、テーブル本体に設けた回転軸３４ａと係合する孔２２ａを有する。そして、回転軸３４ａに対して回転可能に装着される。係止板２２は、支柱１１と係合する側面である第１の係止面２２ｂ及び第２の係止面２２ｃを有する。これら係止面は、凹状の係合面として形成する。回転軸３４ａの中心から第１の係止面２２ｂまでの距離はｒ１に設定し、第２の係止面２２ｃまでの距離はｒ２に設定する。これらの距離ｒ１及びｒ２により、テーブル３の載置面の支柱１１及び１２となす角度θが規定される。本例では、第１の係止面２２ｂが支柱１１と係合した場合、テーブルの載置面と支柱１１とがほぼ１２０°の角度をなすスタンド状態を占め、第２の係止面２２ｃが支柱１１と係合した場合、テーブルの載置面は支柱に対して９０°の角度をなす運搬状態をとるものとする。
【００２１】
図７（Ｂ）は、アンプベンチとして機能するスタンド状態にあり、図２と対応する。また、図７（Ｃ）はキャリーカートとして機能する運搬状態にあり、図３及び図４と対応する。図２〜図４に示すように、テーブル本体のフック部をベンチ本体の連結軸１３ａ〜１３ｅのいずれかと係合すると、テーブル本体は連結軸を中心にして回転する。テーブルの載置面の支柱に対する角度θは、テーブル本体の回転量により規定される。そして、係止板２２の第１及び第２の係止面２２ｂ及び２２ｃにより、テーブル本体の支柱に対する回転角度位置が設定される。従って、回転軸３４ａが嵌め込まれる孔２２ａの中心から第１及び第２の係止面２２ｂ及び２２ｃまでの距離を適切に設定することにより、テーブル３の載置面の支柱１１及び１２に対する角度を規定することができる。本例では、孔２２ａの中心から第１及び第２の係止面２２ｂ及び２２ｃまでの距離ｒ１及びｒ２は、支柱に対するテーブルの載置面の角度がそれぞれ１２０°及び９０°となるように設定する。
【００２２】
次に、図１〜図４に示すアンプベンチの操作について説明する。アンプ４を公演会場まで運ぶ際、テーブル本体に取り付けた係止板２２の第２の係止面２２ｃが支柱と係合するように設定し、テーブル３の載置面が支柱に対して９０°の角度をなすように設定する。そして、アンプ４をテーブル上に載置する。そして、ロープ等を用いてアンプ４をベンチ本体１に固定する。次に、図４に示すように、ベンチ本体を接地面１８に対して傾け、この状態において、ベンチ本体を矢印方向に引くことにより、アンプとアンプベンチとを一体的に運ぶことができる。
【００２３】
次に、公演会場において、舞台上にアンプを設置する操作について説明する。アンプベンチを舞台の所定の位置に配置し、補助脚２をベンチ本体から離間させ、ベンチ本体を固定すると共に、車輪をロックする。続いて、アンプの配置高さを決定する。アンプの配置高さは、ベンチ本体１の連結軸１３ａ〜１３ｅのいずれかを選択することにより行う。次に、選択した連結軸にテーブル３のフック部２０及び２１を係合させる。続いて、係止板２２及び２３を回動させ、それらの第１の係止面を支柱１１及び１２と係合させ、テーブル３をベンチ本体に固定する。続いて、アンプ４をテーブル３の台座プレート上に配置し、アンプ取付作業が終了する。
【００２４】
演奏が終了した際、アンプ４をテーブル３から取り外し、テーブル３のフック部を支持軸から取り外す。続いて、テーブル３を最下位の連結軸１３ｅに連結する。また、係止板の回動位置を調整し、第２の係止面２２ｃを支柱１１に係合させ、テーブルが支柱に対して９０°の角度をなすように設定する。最後に、アンプ４をテーブル３上に配置し、ロープ等により固定する。そして、この状態において、アンプベンチを傾けながら引くことにより、アンプ及びアンプベンチを一体的に移動させることができる。この状態において、アンプ４は、鉛直方向には台座プレートにより支持され、水平方向には支柱に設けた防振シートにより支持される。台座プレート及び防振シートは共に防振機能を有するので、アンプは、鉛直方向及び水平方向の振動による影響を受けることなく運搬される。また、防振材料は、摩擦係数が大きいので、運搬中のアンプがずれる不具合も解消される。
【符号の説明】
【００２５】
１  ベンチ本体
２  補助脚
３  テーブル
３ａ  台座プレート  
４  アンプ
１１，１２  支柱  
１３ａ〜１３ｅ  連結軸  
１４  車軸
１５ａ，１５ｂ  車輪
１６ａ，１６ｂ  防振シート
１７  パイプ
１８  接地面
１９  制動部材
２０，２１  フック部  
２２，２３  係止板
２４  スタンド脚
３０，３１  プレート
３２，３３  連結プレート
３４  連結軸
３４ａ，３４ｂ  回転軸
【図１】
0005438544.tif 000002
【図２】
0005438544.tif 000003
【図３】
0005438544.tif 000004
【図４】
0005438544.tif 000005
【図５】
0005438544.tif 000006
【図６】
0005438544.tif 000007
【図７】
0005438544.tif 000008